【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
少なくとも２つのアップリンク送信アンテナを使用して送信を行うユーザ装置におけるアップリンク送信ダイバーシチ動作を制御する方法であって、前記方法は、
セルラネットワークからダウンリンク方向の制御信号の組を受信する工程（４０１）と、
前記制御信号の組における各制御信号に対する受信信号品質を推定する工程（４０３）と、
前記受信信号品質に基づいて、どの制御信号が高い信頼性で受信されたかを判定する工程（４０５）と、
前記制御信号の組から得た、高い信頼性で受信されたと判定された制御信号だけを含むサブセットの制御信号を使用して、前記アップリンク送信ダイバーシチ動作に関係する１つ以上のパラメータを導出する工程（４０７）と、
前記導出した１つ以上のパラメータを適用して前記アップリンク送信ダイバーシチ動作を制御しながら、アップリンク方向に送信する工程（４０９）とを有することを特徴とする方法。
【請求項２】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１に記載の方法。
【請求項３】
前記受信信号品質は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて推定されることを特徴とする請求項１又は２に記載の方法。
【請求項４】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１乃至３のいずれか１項に記載の方法。
【請求項５】
前記アップリンク送信ダイバーシチ動作は、送信ダイバーシチビームフォーミングであり、
前記１つ以上のパラメータは、送信ダイバーシチブランチで送信される信号の相対位相と相対振幅とを含むことを特徴とする請求項４に記載の方法。
【請求項６】
前記アップリンク送信ダイバーシチ動作は、アンテナ切り替えのアップリンク送信ダイバーシチであり、
前記１つ以上のパラメータは、送信ダイバーシチブランチで送信される信号の振幅または電力を含むことを特徴とする請求項４に記載の方法。
【請求項７】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行することを特徴とする請求項１乃至６のいずれか１項に記載の方法。
【請求項８】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行することを特徴とする請求項１乃至６のいずれか１項に記載の方法。
【請求項９】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行することを特徴とする請求項１乃至６のいずれか１項に記載の方法。
【請求項１０】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行することを特徴とする請求項１乃至６のいずれか１項に記載の方法。
【請求項１１】
前記ユーザ装置は複数の無線リンクに接続されており、
前記ユーザ装置は２つ以上の無線リンクからのダウンリンク信号或いは命令を受信し、
前記方法は、
１つ以上のアップリンク送信ダイバーシチパラメータを導出或いは調整するために、品質が閾値より高い、各無線リンクからのダウンリンク命令だけを用いる工程をさらに有することを特徴とする請求項１乃至１０のいずれか１項に記載の方法。
【請求項１２】
前記ユーザ装置は、信頼できない受信命令のために、前記アップリンク送信ダイバーシチのためのパラメータの不適切な設定についての状況について前記ネットワークに明示的に通知することを特徴とする請求項１乃至１１のいずれか１項に記載の方法。
【請求項１３】
少なくとも２つのアップリンク送信アンテナ（１１１）を有し、アップリンク送信ダイバーシチ動作を制御するユーザ装置（１０３）であって、前記ユーザ装置は、
セルラネットワークからダウンリンク方向の制御信号の組を受信し、
前記制御信号の組における各制御信号に対する受信信号品質を推定し、
前記受信信号品質に基づいて、どの制御信号が高い信頼性で受信されたかを判定し、
前記制御信号の組から得た、高い信頼性で受信されたと判定された制御信号だけを含むサブセットの制御信号を使用して、前記アップリンク送信ダイバーシチ動作に関係する１つ以上のパラメータを導出し、
前記導出した１つ以上のパラメータを適用して前記アップリンク送信ダイバーシチ動作を制御しながら、アップリンク方向に送信するよう構成された制御回路（１０７）を有することを特徴とするユーザ装置。
【請求項１４】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１３に記載のユーザ装置。
【請求項１５】
前記制御回路は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて前記受信信号品質を推定するよう構成されることを特徴とする請求項１３又は１４に記載のユーザ装置。
【請求項１６】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１３乃至１５のいずれか１項に記載のユーザ装置。
【請求項１７】
前記アップリンク送信ダイバーシチ動作は、送信ダイバーシチビームフォーミングであり、
前記１つ以上のパラメータは、送信ダイバーシチブランチで送信される信号の相対位相と相対振幅とを含むことを特徴とする請求項１６に記載のユーザ装置。
【請求項１８】
前記アップリンク送信ダイバーシチ動作は、アンテナ切り替えのアップリンク送信ダイバーシチであり、
前記１つ以上のパラメータは、送信ダイバーシチブランチで送信される信号の振幅または電力を含むことを特徴とする請求項１６に記載のユーザ装置。
【請求項１９】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行するよう構成されることを特徴とする請求項１３乃至１８のいずれか１項に記載のユーザ装置。
【請求項２０】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行するよう構成されることを特徴とする請求項１３乃至１８のいずれか１項に記載のユーザ装置。
【請求項２１】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行するよう構成されることを特徴とする請求項１３乃至１８のいずれか１項に記載のユーザ装置。
【請求項２２】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行するよう構成されることを特徴とする請求項１３乃至１８のいずれか１項に記載のユーザ装置。
【請求項２３】
前記ユーザ装置は複数の無線リンクに接続可能であり、
前記ユーザ装置は２つ以上の無線リンクからのダウンリンク信号或いは命令を受信するように適合されており、
前記ユーザ装置の前記制御回路（１０７）は、
１つ以上のアップリンク送信ダイバーシチパラメータを導出或いは調整するために、品質が閾値より高い、各無線リンクからのダウンリンク命令だけを用いるよう構成されていることを特徴とする請求項１３乃至２２のいずれか１項に記載のユーザ装置。
【請求項２４】
前記ユーザ装置は、信頼できない受信命令のために、前記アップリンク送信ダイバーシチのためのパラメータの不適切な設定についての状況について前記ネットワークに明示的に通知するよう構成されていることを特徴とする請求項１３乃至２３のいずれか１項に記載のユーザ装置。